(57)【要約】【課題】従来は、人によって異なる部位に生じる床ずれによる痛みを十分に緩和することができない。【解決手段】身体サポータ１００は、表面と裏面とを有しシリコン樹脂により形成されている本体部１と、上記表面との間に空間１２３を設けて本体部１と接続しており、少なくとも上記表面とは反対の側から上記空間１２３に貫通する孔２１が設けられている、シリコン樹脂により形成されている塊状のクッション部２とを備える。【選択図】図１
2009270241.tif 000002
【特許請求の範囲】
【請求項１】
表面と裏面とを有し、シリコン樹脂により形成されている本体部と、
前記表面との間に空間を設けて前記本体部と接続しており、少なくとも前記表面とは反対の側から前記空間に貫通する孔が設けられている、シリコン樹脂により形成されている塊状のクッション部と
を備える身体サポータ。
【請求項２】
更に、前記本体部の外周に接続しており、外縁の一部に切り欠きが設けられている、シリコン樹脂により形成されている縁部を備える
請求項１に記載の身体サポータ。
【請求項３】
更に、両端部に前記本体部への着脱のための接続部を有するストラップを備え、
前記本体部は、各前記接続部と嵌合する２個の嵌合部を有し、
前記接続部と前記嵌合部とが利用されることにより、前記ストラップは前記本体部に対して着脱される
請求項１又は２に記載の身体サポータ。
【請求項４】
前記接続部及び前記嵌合部は、面ファスナである
請求項３に記載の身体サポータ。
【請求項５】
前記ストラップは、中央部の幅が前記両端部の幅より広く、シリコン樹脂により形成されている
請求項３に記載の身体サポータ。
【発明の詳細な説明】
【技術分野】
【０００１】  本発明は、例えば病気のため長期にわたって寝ている人の床ずれによる痛みを緩和するサポータに関する。
【背景技術】
【０００２】  病気のため長期にわたって病院等のベッドに寝ている人がいる。そのような人は通常同じような姿勢で寝るので、臀部等の特定の部位に床ずれが生じる。そこで従来から、タオル等の布を床ずれが生じている部位に当てて床ずれによる痛みを緩和する措置がとられている。【０００３】  床ずれによる痛みを緩和することが目的ではないが、特開２００５−１６３２５２号公報はヒップアップ装置を開示している。そのヒップアップ装置は、履き心地や感触が自然で心地よく同時に臀部の形状を美しく見せることを目的としており、臀部に直接触れる下着としてのパンツを有し、そのパンツの臀部が触れる部分の外側に袋が設けられていて、その袋にパッドが収められる。
【特許文献１】  特開２００５−１６３２５２号公報
【発明の開示】
【発明が解決しようとする課題】
【０００４】  しかしながら、タオル等の布を床ずれが生じている部位に当てることでは、床ずれによる痛みを十分に緩和することはできない。また、床ずれが生じる前にタオル等の布を床ずれが生じる可能性のある部位に当てることでは、床ずれの発生を未然に防止することはできない。【０００５】  また、上記ヒップアップ装置は床ずれによる痛みを緩和することや床ずれの発生を防止することを目的としていないので、それらの目的を達成しようとして上記ヒップアップ装置を使用しても、それらの目的は十分に達せられない。また、上記ヒップアップ装置ではパッドはパンツの予め決められた部位に取り付けられるが、床ずれの生じる部位は臀部とは限らず人によって異なる。そのため、上記ヒップアップ装置を床ずれによる痛みを緩和するためや床ずれの発生を防止するために万人に使用することはできない。【０００６】  本発明は、人によって異なる部位に生じる床ずれによる痛みを十分に緩和する、又は床ずれの発生を未然に防止する身体サポータを提供することを目的とする。
【課題を解決するための手段】
【０００７】  上記課題を解決し上記目的を達成するために、本発明の身体サポータは、表面と裏面とを有し、シリコン樹脂により形成されている本体部と、前記表面との間に空間を設けて前記本体部と接続しており、少なくとも前記表面とは反対の側から前記空間に貫通する孔が設けられている、シリコン樹脂により形成されている塊状のクッション部とを備える。
【発明の効果】
【０００８】  本発明は、人によって異なる部位に生じる床ずれによる痛みを十分に緩和する、又は床ずれの発生を未然に防止する身体サポータを提供することができる。
【発明を実施するための最良の形態】
【０００９】  以下に、本発明を実施するための最良の形態を図面を参照して説明する。【００１０】  先ず、本実施の形態の身体サポータの構成を説明する。【００１１】  図１及び図２は本実施の形態の身体サポータ１００の外観を示している。身体サポータ１００は、例えば病気のため長期にわたって寝ている人の臀部にできた床ずれによる痛みを緩和するためにその人の臀部に取り付けられる物であって、図１及び図２に示すように、本体部１と、クッション部２と、縁部３と、ストラップ４とで構成されている。本体部１、クッション部２、縁部３、及びストラップ４は、いずれも伸縮性と弾力性とを有する（可撓性を有する）とともに肌に馴染むシリコン樹脂により形成されている。なお、図１では本体部１の外側が示されており、図２では本体部１の内側が示されている。【００１２】  図３は本体部１の内側の外観を示し、図４は縁部３の内側の外観を示し、図５は本体部１及び縁部３の内側の外観を示している。図６は本体部１及びクッション部２の断面を示し、図７はクッション部２の表面側の外観を示し、図８はクッション部２の側面を示している。図９はストラップ４の外側の外観を示し、図１０はストラップ４の内側の外観を示し、図１１はストラップ４の側面を示している。【００１３】  本体部１は、図１、図２、図３、及び図５に示すように、外周が楕円形状である平板状の物であって、表面（外側の面）と裏面（内側の面）とを有し、裏面には凹部１１が設けられている。本体部１の裏面には、ストラップ４が取り付けられる面ファスナ１２ａ及び面ファスナ１２ｂが設けられている。それら面ファスナ１２ａ及び面ファスナ１２ｂは粘着剤又は接着剤により本体部１に取り付けられている。本体部１の厚みは均一でもよいし、場所によって異なっていてもよい。つまり相対的に厚い部分と薄い分とが存在していてもよい。また、凹部１１は本体部１の裏面の縁部３寄りに設けられてもし、裏面の中央に設けられてもよい。このように、凹部１１が設けられる位置は限定されない。また、本体部１の裏面には凹部１１が設けられていなくてもよい。【００１４】  クッション部２は、図１に示すように、本体部１の表面の側に設けられている塊状の物であって、図６に示すように、本体部１の表面との間に空間１２３が形成されるように本体部１と接続している。クッション部２には、図１、図６、図７、及び図８に示すように、本体部１の表面とは反対の側に壁部２２を周囲に持つ、上記の空間１２３に貫通する小さな綿棒が入る程度の大きさの孔２１が複数個設けられている。空間１２３に貫通する孔２１は、本体部１の表面とは反対の側のみならず、クッション部２の側面にも複数個設けられている。孔２１の数は複数でなくてもよい。孔２１は１個のみ設けられていてもよい。また、クッション部２の断面は例えば本体部１の断面の１／３程度の大きさである。また、本体部１及びクッション部２は厚みが異なる部分を持つ一枚のシリコン樹脂素材から形成されていてもよいし、本体部１及びクッション部２は互いに別々に形成されて接着剤により一体化されていてもよい。【００１５】  縁部３は、図１、図２、及び図５に示すように、本体部１の外周に接続しており、本体部１が臀部に装���されるときに密着した状態で装着することができるようにするためもの物であって、その効果をより発揮させるために、外縁の一部には切り欠き３１が設けられている。本体部１及び縁部３は一枚のシリコン樹脂素材から形成されていてもよいし、本体部１及び縁部３は互いに別々に形成されて接着剤により一体化されていてもよい。【００１６】  ストラップ４は、本体部１を長期にわたって寝ている人の臀部に固定するための物であって、図２、図１０、及び図１１に示すように、内側の両端部それぞれに、本体部１への着脱のための２個の面ファスナ４１ａ，４１ｂ及び２個の面ファスナ４２ａ，４２ｂが取り付けられている。面ファスナ４１ａ，４１ｂ，４２ａ，４２ｂは粘着剤又は接着剤によりストラップ４に取り付けられている。それら面ファスナ４１ａ，４１ｂ及び２個の面ファスナ４２ａ，４２ｂと、本体部１の面ファスナ１２ａ及び面ファスナ１２ｂとが利用されることにより、ストラップ４は本体部１に対して容易に取り付けることができ、また取り外すことができる。図１２（ａ）は本体部１に取り付けられている面ファスナ１２ａ，１２ｂの外観を示し、図１２（ｂ）はストラップ４に取り付けられている面ファスナ４１ａ，４１ｂ，４２ａ，４２ｂの外観を示している。【００１７】  ここで、本体部１の面ファスナ１２ａ及び面ファスナ１２ｂがフック面であれば、面ファスナ４１ａ，４１ｂ及び面ファスナ４２ａ，４２ｂはループ面であり、面ファスナ１２ａ及び面ファスナ１２ｂがループ面であれば、面ファスナ４１ａ，４１ｂ及び面ファスナ４２ａ，４２ｂはフック面である。このように、面ファスナ４１ａ，４１ｂ及び面ファスナ４２ａ，４２ｂと、本体部１の面ファスナ１２ａ及び面ファスナ１２ｂとが利用されることにより、ストラップ４は本体部１に対して着脱される。また、ストラップ４は、図１、図２、図９、及び図１０に示すように、中央部の幅が両端部の幅より広い。【００１８】  図１３は長期にわたって寝ている人Ａの臀部に本実施の形態の身体サポータ１００が装着されている状態をその人Ａの後側から見たときの状況を示し、図１４はその状態をその人Ａの前側から見たときの状況を示している。図１５はその状態をその人Ａの横側から見たときの状況を示し、図１６は身体サポータ１００が装着されていて座った状態の人Ａを横側から見たときの状況を示している。【００１９】  上述したように、身体サポータ１００を構成する本体部１及び縁部３は伸縮性と弾力性とを有する肌触りがよくて肌に馴染むシリコン樹脂により形成されているので、身体サポータ１００は身体に密着した状態で臀部に装着される。【００２０】  また、本体部１の表側に設けられているクッション部２がベッド等の床に対するクッション機能を発揮するので、本体部１が臀部に当たるように身体サポータ１００が人Ａに取り付けられると、臀部に生じている床ずれによる痛みは緩和される。より具体的には、クッション部２に設けられている孔２１が空間１２３に通じていて外部からの圧力により空間１２３内の空気が身体サポータ１００の内側と外側との間を自由に出入りするので、クッション部２の形状はある程度自由に変形する。それとともに、クッション部２にかかる圧力が分散される。これにより、クッション部２のクッション機能がより大きく発揮され、臀部に生じている床ずれによる痛みは十分に緩和される。例えば、人Ａが立った状態から座った状態に移る時やその逆の時に、状態に応じて本体部１の表面とクッション部２との間の空間１２３の空気が身体サポータ１００外部に対して移動するので、クッション機能が十分に発揮される。【００２１】  また、本体部１の裏面には凹部１１が設けられているので、臀部への装着時に凹部１１内の空気が移動することにより身体サポータ１００はより装着しやすく、かつ身体に密着した状態で臀部に装着される。また、縁部３の外縁に設けられている切り欠き３１により、本体部１はより自然な状態で臀部に装着される。また、縁部３は、身体サポータ１００が臀部に装着された時に臀部の自然な流れを形成する効果も発揮される。【００２２】  また、ストラップ４の両端部それぞれには、２個の面ファスナ４１ａ，４１ｂと、２個の面ファスナ４２ａ，４２ｂとが取り付けられている。従って、人Ａのサイズに応じて、一方の端部に設けられている面ファスナ４１ａと面ファスナ４１ｂとのいずれかが選択されるとともに、他方の端部に設けられている面ファスナ４２ａと面ファスナ４２ｂとのいずれかが選択されて、それぞれが面ファスナ１２ａ又は面ファスナ１２ｂに取り付けられるので、人Ａのサイズによらず、身体サポータ１００は重力により落下することなく人Ａに密着した状態で人Ａに容易に装着される。【００２３】  また、ストラップ４は中央部の幅が両端部の幅より広いので、ストラップ４が人Ａの皮膚や筋肉に食い込むことがない。又はストラップ４の人Ａの皮膚や筋肉への食い込みは少ない。そのため、人Ａへの肉体的な負担を少なくして身体サポータ１００を人Ａに装着することができる。【００２４】  このように、身体サポータ１００は、人によって異なる部位に生じる床ずれによる痛みを十分に緩和することができる。また、身体サポータ１００は、床ずれが生じる可能性のある部位に取り付けられれば、床ずれの発生を未然に防止することができる。【００２５】  また、身体サポータ１００はシリコン樹脂により形成されているので、手軽に全体を水洗いすることができ、清潔感を維持することができる。【００２６】  また、身体サポータ１００は、健康な人に装着された場合、ヒップアップすることによりその人の臀部の形状を美しく整えることができる。【００２７】  また、身体サポータ１００は男女年齢を問わず使用することができる。【００２８】  図１７はストラップ４が使用されていない状態で身体サポータ１００が装着されて座っている状態の人Ａを後側から見たときの状況を示し、図１８はその人Ａを横側から見たときの状況を示している。図１９はストラップ４が使用されていない状態で身体サポータ１００が装着されて立っている状態の人Ａを横側から見たときの状況を示している。このように、身体サポータ１００はストラップ４が使用されずに人の特定の部位に固定されてもよい。【００２９】  同様に、身体サポータ１００はストラップ４が使用されずに人の肘、膝、踵、腰、胸、及び肩等の特定の部位に固定されてもよい。図２０はストラップ４が使用されていない状態で身体サポータ１００が肘に装着されている人Ａを示しており、図２１はストラップ４が使用されていない状態で身体サポータ１００が膝に装着されている人Ａを示している。図２２はストラップ４が使用されていない状態で身体サポータ１００が踵に装着されている人Ａを示しており、図２３はストラップ４が使用されていない状態で身体サポータ１００が腰に装着されている人Ａを示している。図２４はストラップ４が使用されていない状態で身体サポータ１００が胸に装着されている人Ａを示している。図２５はストラップ４が使用されていない状態で身体サポータ１００が肩に装着されている人Ａを示している。【００３０】  なお、上述した実施の形態では、ストラップ４の内側の両端部それぞれに、本体部１への着脱のための２個の面ファスナ４１ａ，４１ｂ及び２個の面ファスナ４２ａ，４２ｂが取り付けられているが、両端部それぞれに取り付けられる面ファスナの個数は２個には限定されない。【００３１】  また、ストラップ４は面ファスナによって本体部１に取り付けられると限定されない。紐等により、ストラップ４は本体部１に取り付けられてもよい。【００３２】  また、ストラップ４の幅は中央部が両端部より広いと限定されない。例えばストラップ４の幅は均一であってもよい。【００３３】  また、ストラップ４はシリコン樹脂以外の材料によって形成されていてもよい。
【産業上の利用可能性】
【００３４】  本発明の身体サポータは、例えば病気のため長期にわたって寝ている人の床ずれによる痛みを緩和するサポータとして有用である。
【図面の簡単な説明】
【００３５】
【図１】  本実施の形態の身体サポータ１００の外観を示す図
【図２】  本実施の形態の身体サポータ１００の外観を示す図
【図３】  本実施の形態の身体サポータ１００を構成する本体部１の内側の外観を示す図
【図４】  本実施の形態の身体サポータ１００を構成する縁部３の内側の外観を示す図
【図５】  本実施の形態の身体サポータ１００を構成する本体部１及び縁部３の内側の外観を示す図
【図６】  本実施の形態の身体サポータ１００を構成する本体部１及びクッション部２の断面を示す図
【図７】  本実施の形態の身体サポータ１００を構成するクッション部２の表面側の外観を示す図
【図８】  本実施の形態の身体サポータ１００を構成するクッション部２の側面を示す図
【図９】  本実施の形態の身体サポータ１００を構成するストラップ４の外側の外観を示す図
【図１０】  本実施の形態の身体サポータ１００を構成するストラップ４の内側の外観を示す図
【図１１】  本実施の形態の身体サポータ１００を構成するストラップ４の側面を示す図
【図１２】  （ａ）本実施の形態の身体サポータ１００を構成する本体部１に取り付けられている面ファスナ１２の外観を示す図，（ｂ）本実施の形態の身体サポータ１００を構成するストラップ４に取り付けられている面ファスナ４１，４２の外観を示す図
【図１３】  長期にわたって寝ている人Ａの臀部に本実施の形態の身体サポータ１００が装着されている状態をその人Ａの後側から見たときの状況を示す図
【図１４】  長期にわたって寝ている人Ａの臀部に本実施の形態の身体サポータ１００が装着されている状態をその人Ａの前側から見たときの状況を示す図
【図１５】  長期にわたって寝ている人Ａの臀部に本実施の形態の身体サポータ１００が装着されている状態をその人Ａの横側から見たときの状況を示す図
【図１６】  身体サポータ１００が装着されていて座った状態の人Ａを横側から見たときの状況を示す図
【図１７】  ストラップ４が使用されていない状態で身体サポータ１００が装着されて座っている状態の人Ａを後側から見たときの状況を示す図
【図１８】  ストラップ４が使用されていない状態で身体サポータ１００が装着されて座っている状態の人Ａを横側から見たときの状況を示す図
【図１９】  ストラップ４が使用されていない状態で身体サポータ１００が装着されて立っている状態の人Ａを横側から見たときの状況を示す図
【図２０】  ストラップ４が使用されていない状態で身体サポータ１００が肘に装着されている人Ａを示す図
【図２１】  ストラップ４が使用されていない状態で身体サポータ１００が膝に装着されている人Ａを示す図
【図２２】  ストラップ４が使用されていない状態で身体サポータ１００が踵に装着されている人Ａを示す図
【図２３】  ストラップ４が使用されていない状態で身体サポータ１００が腰に装着されている人Ａを示す図
【図２４】  ストラップ４が使用されていない状態で身体サポータ１００が胸に装着されている人Ａを示す図
【図２５】  ストラップ４が使用されていない状態で身体サポータ１００が肩に装着されている人Ａを示す図
【符号の説明】
【００３６】  １００  身体サポータ
１  本体部
２  クッション部
３  縁部
４  ストラップ
１１  凹部
１１  面ファスナ
１２３  空間
２１  孔
２２  壁部
３１  切り欠き
４１，４２  面ファスナ
【図１】
2009270241.tif 000003
【図２】
2009270241.tif 000004
【図３】
2009270241.tif 000005
【図４】
2009270241.tif 000006
【図５】
2009270241.tif 000007
【図６】
2009270241.tif 000008
【図７】
2009270241.tif 000009
【図８】
2009270241.tif 000010
【図９】
2009270241.tif 000011
【図１０】
2009270241.tif 000012
【図１１】
2009270241.tif 000013
【図１２】
2009270241.tif 000014
【図１３】
2009270241.tif 000015
【図１４】
2009270241.tif 000016
【図１５】
2009270241.tif 000017
【図１６】
2009270241.tif 000018
【図１７】
2009270241.tif 000019
【図１８】
2009270241.tif 000020
【図１９】
2009270241.tif 000021
【図２０】
2009270241.tif 000022
【図２１】
2009270241.tif 000023
【図２２】
2009270241.tif 000024
【図２３】
2009270241.tif 000025
【図２４】
2009270241.tif 000026
【図２５】
2009270241.tif 000027